(57)【要約】【課題】製品底部からの小動物侵入を阻止し、製造原価を抑えた底板部を構成すること。【解決手段】洗濯機本体下部に設けた台枠３１と台枠３１の開口底部４７に設けた底板４２と、洗濯物を収容する洗濯兼脱水槽２４を回転自在に内包し水を溜める水槽２２と、水槽２２の水を洗濯機外部へ排水する排水ホース３５とを備え、台枠３１の側面には排水ホース３５を通すための切欠き部４１を設けるとともに、底板４２には切欠き部４１を塞ぐ覆い部４３を設け、覆い部４３と底板４２との間には折り曲げ可能な結合部４８を有することにより、底板部を一部品から構成し、部品の在庫、運搬を覆い部を平坦な状態でできるため、底板部の製造原価を抑えることができ、運搬しやすく、さらに取り付け忘れを防止して小動物の侵入を阻止し、製品安全性を向上させることができる。【選択図】図４
2014171565.tif 000002
【特許請求の範囲】
【請求項１】
洗濯機本体下部に設けた台枠と前記台枠の開口底部に設けた底板と、洗濯物を収容する洗濯兼脱水槽を回転自在に内包し水を溜める水槽と、前記水槽の水を洗濯機外部へ排水する排水ホースとを備え、前記台枠の側面には前記排水ホースを通すための切欠き部を設けるとともに、前記底板には前記切欠き部を塞ぐ覆い部を設け、前記覆い部と前記底板との間には折り曲げ可能な結合部を有することを特徴とする洗濯機。
【請求項２】
前記底板には通気孔を設けたことを特徴とする請求項１に記載の洗濯機。
【発明の詳細な説明】
【技術分野】
【０００１】
本発明は、洗い、すすぎ、脱水行程を自動制御して行なう洗濯機に関するものである。
【背景技術】
【０００２】
従来、この種の洗濯機は、設置面と洗濯機下部との隙間から駆動部に手が接触するのを防止し、また、下部開口部から小動物が侵入して洗濯機に安全上の影響を及ぼすのを防止するために、開口部を塞ぐための底板を設ける構成が提案されてきた（例えば、特許文献１参照）。
【０００３】
図５は、特許文献１に記載された従来の洗濯機の縦断面図、図６は、同洗濯機の底板部の分解斜視図である。
【０００４】
図５、図６において、外箱１下部の開口部には、底板取付板１０が配設され、底板１２が底板取付板１０に形成した穴部１１に引き出し可能に収容され、底板１２の一端がねじ１３で固定されている。
【０００５】
底板取付板１０と底板１２をねじ１３で固定する一端の反対側で、底板取付板１０に形成した底板１２を収容するためのガイドリブ１４の底板１２との当接面に、凸部１５を形成し、底板１２をガイドリブ１４の凸部１５に圧接するよう構成されている。
【先行技術文献】
【特許文献】
【０００６】
【特許文献１】特開平１１−１４６９９６号公報
【発明の概要】
【発明が解決しようとする課題】
【０００７】
しかしながら、前記従来の構成では、洗濯機下部の開口部を覆う底板部は、ねじを除いても大きな部品が二つあり、また、底板は引き出し式となっており、製造原価の上昇や、洗濯機設置時に取付けを忘れて鼠などの小動物が洗濯機内に侵入し、リード線などに損傷を与え、安全上の影響を及ぼすという課題があった。
【０００８】
本発明は、前記従来の課題を解決するもので、底板部の製造原価を抑え、取付け忘れを防止して小動物の侵入を阻止し、製品安全性を向上させる洗濯機を提供することを目的とする。
【課題を解決するための手段】
【０００９】
前記従来の課題を解決するために、本発明の洗濯機は、洗濯機本体下部に設けた台枠と前記台枠の開口底部に設けた底板と、洗濯物を収容する洗濯兼脱水槽を回転自在に内包し水を溜める水槽と、前記水槽の水を洗濯機外部へ排水する排水ホースとを備え、前記台枠の側面には前記排水ホースを通すための切欠き部を設けるとともに、前記底板には前記切欠き部を塞ぐ覆い部を設け、前記覆い部と前記底板との間には折り曲げ可能な結合部を有するものである。
【００１０】
これによって、底板部の運搬を容易にし、製造原価を抑え、取付け忘れを防止して小動物の侵入を阻止し、製品安全性を向上させることができる。
【発明の効果】
【００１１】
本発明の洗濯機は、底板部の運搬を容易にし、製造原価を抑え、取付け忘れを防止して小動物の侵入を阻止し、製品安全性を向上させることができる。
【図面の簡単な説明】
【００１２】
【図１】本発明の実施形態における洗濯機の縦部分断面図
【図２】同洗濯機の底板を取り付けていない外観図
【図３】同洗濯機の底板の覆い部を平坦にした外観斜視図
【図４】同洗濯機の底板の覆い部を折り曲げた外観斜視図
【図５】従来の洗濯機の縦断面図
【図６】同洗濯機の底板部の分解斜視図
【発明を実施するための形態】
【００１３】
第１の発明は、洗濯機本体下部に設けた台枠と前記台枠の開口底部に設けた底板と、洗濯物を収容する洗濯兼脱水槽を回転自在に内包し水を溜める水槽と、前記水槽の水を洗濯機外部へ排水する排水ホースとを備え、前記台枠の側面には前記排水ホースを通すための切欠き部を設けるとともに、前記底板には前記切欠き部を塞ぐ覆い部を設け、前記覆い部と前記底板との間には折り曲げ可能な結合部を有することにより、底板部を一部品から構成し、部品の在庫、運搬を覆い部を平坦な状態でできるため、底板部の製造原価を抑えることができ、底板部の運搬を容易にし、底板部の製造原価を抑えることができ、さらに取付け忘れを防止して小動物の侵入を阻止し、製品安全性を向上させることができる。
【００１４】
第２の発明は、特に、第１の発明の底板には通気孔を設けたことにより、洗濯機内部の放熱が十分に行われる。
【００１５】
以下、発明の実施の形態について、図面を参照しながら説明する。また、この実施の形態によって本発明が限定されるものではない。
【００１６】
（実施の形態１）
図１は、本発明の実施の形態における洗濯機の縦部分断面図である。
【００１７】
図１において、洗濯機本体の外箱２１内部には、弾性支持機構２３により水槽２２を垂下防振支持しつつ収容し、水槽２２内には、衣類撹拌用の撹拌翼２５を回転自在に配した有底略円筒状をなし周壁に多数の小孔を有する洗濯兼脱水槽２４を回転自在に配している。撹拌翼２５および洗濯兼脱水槽２４は、水槽２２の外底部に固定したモータ２６により回転駆動される。
【００１８】
洗濯兼脱水槽２４の上部には、内部にバランサ液を封入した環状の流体バランサ３０が取り付けられており、脱水時の振動を低減している。
【００１９】
外箱２１の上部にはトップカバー２７を装着し、トップカバー２７の中央部に、洗濯兼脱水槽２４内に臨む洗濯物出入口２８を有し、この洗濯物出入口２８の上方に開閉自在に平面状の蓋体２９を軸支する。
【００２０】
また、外箱２１は、外箱２１を下方より支える合成樹脂等の防錆能力に優れた材質で構成された台枠３１により載置されており、台枠３１の背面側の略中央部には洗濯機本体の背面側に吐出側を有する排水パイプ３２が一体形成されている。
【００２１】
台枠３１の底部には、下側から鼠などの小動物が洗濯機内に侵入し安全上の問題が起きるのを防止するために、台枠３１の開口底部４７を覆うように底板４２が設けられており、また、底板４２の洗濯機正面視で左右側には覆い部４３が形成されており、台枠３１の
左右側面に開いた切欠き部４１を内側から覆うようになっている。底板４２回りについては、図２以降で詳述する。
【００２２】
水槽２２内の洗濯水は、排水弁３３により排水、止水が制御され、排水時には排水弁３３が開放され、洗濯水は排水パイプ３２に連通した機内ホース３４を通じ、さらには、排水パイプ３２に接続連通させた屈曲性があり軟質な材質で構成された排水ホース３５を通じて機外へ排水される。
【００２３】
図２は、本発明の実施の形態における洗濯機の底板を取り付けていない外観図である。
【００２４】
図２において、台枠３１の左右側面には、切欠き部４１が形成されている。
【００２５】
洗濯機の設置環境については千差万別であり、中には洗濯水を排水する排水口が洗濯機の下側に位置する場合がある。これは、特に都会において、挟小な防水パンを設置したマンションで顕著に見られる。この場合には、洗濯機本体の背面側に設けた排水パイプ３２に排水ホース３５を取り付け、右あるいは左側面の切欠き部４１から洗濯機の下側へ配管して、排水口へ接続するという配管方法をとることができる。都会のマンションでは、洗濯機の下側から鼠などの小動物が洗濯機内に侵入するということは、さほど考慮する必要はないので、底板は使用せず、この方法をとることができる。
【００２６】
図３は、本発明の実施形態における洗濯機の底板の覆い部を平坦にした外観斜視図、図４は、同洗濯機の底板の覆い部を折り曲げた外観斜視図である。
【００２７】
図３、図４において、底板４２は略矩形状であり、端部４５を台枠３１の保持部（図示せず）にて保持し、他端に形成したねじ取付穴４６にて台枠３１にねじ固定する。
【００２８】
この時、底板４２の左右端には略平面状の覆い部４３を形成しており、台枠３１へ取り付ける時には、この覆い部４３を図４に示すように折り曲げて、台枠３１の切欠き部４１の内側に位置し、切欠き部４１を内側から塞ぐようにして取り付ける。即ち、覆い部４３と底板４２との間には折り曲げ可能な結合部４８を設けている。結合部４８は、例えば覆い部４３と底板４２とを樹脂材料にて一体成形し、薄肉に成形することで折り曲げ可能となる。また、覆い部４３と底板４２とは別部品にて構成し、結合部４８をヒンジ構造にしてもよい。
【００２９】
底板４２の取り付けにより、洗濯機下部の開口部と、左右側面にある台枠３１の切欠き部４１が塞がれることになり、下側から鼠などの小動物が洗濯機内に侵入するのを防止できる。また、底板４２には通気孔４４を設けたので、モータ等の発熱を十分に洗濯機外部へ放熱することができる。
【００３０】
以上のように、本実施の形態においては、底板４２は、台枠３１の開口底部４７を覆うと共に、左右端に略平面状に形成した覆い部４３を折り曲げて、台枠３１の左右側面に形成した排水ホース貫通用の切欠き部４１を内側から塞ぐように取り付ける構成としたことにより、底板部を一部品から構成し、部品の在庫、運搬を覆い部を平坦な状態でできるため、底板部の製造原価を抑えることができ、運搬しやすく、さらに取り付け忘れを防止して小動物の侵入を阻止し、製品安全性を向上させることができる。
【産業上の利用可能性】
【００３１】
以上のように、本発明にかかる洗濯機は、台枠底部の開口部を覆う底板部の製造原価を抑え、取付け忘れ防止して小動物の侵入を阻止し、製品安全性を向上させることが可能となるので、機器底部が開放された他の電化機器の用途に適用できる。
【符号の説明】
【００３２】
２２  水槽
２４  洗濯兼脱水槽
３１  台枠
３５  排水ホース
４１  切欠き部
４２  底板
４３  覆い部
４４  通気孔
４７  開口底部
４８  結合部
【図１】
2014171565.tif 000003
【図２】
2014171565.tif 000004
【図３】
2014171565.tif 000005
【図４】
2014171565.tif 000006
【図５】
2014171565.tif 000007
【図６】
2014171565.tif 000008